Podtech/llm-jp-corpus-v4-ja_patent huggingface dataset:
(57)【要約】      （修正有）【課題】スーツケースやキャリーバックを車両のトランクに積む際に、テコの原理で持ち上げる力を軽減できるよう、伸縮性の引き手のグリップ部に装着し、車両トランクの縁に引っ掛けることが可能な滑り止めバンドを提供する。【解決手段】スーツケースやキャリーバックの伸縮性引き手のグリップ部に取り付け可能な滑り止めバンドであり、同バンドを車両のトランクの縁に引っ掛けた状態でスーツケースやキャリーバックの底部を持ち上げれば、テコの原理で、従来よりも少ない力でスーツケースやキャリーバックを車両のトランクまで持ち上げることが可能となる滑り止めバンドである。【選択図】図１
2009136690.tif 000002
【特許請求の範囲】
【請求項１】
スーツケースやキャリーバックの引き手部に装着することで引き手部を車両トランクの縁に引っ掛けることが可能となり、スーツケースやキャリーバックの底部を持ち上げれば、従来よりも少ない力で車両のトランクまで持ち上げることが可能となる滑り止めバンド。
【発明の詳細な説明】
【技術分野】
【０００１】
本発明は、重たいスーツケースやキャリーバックを車両のトランクに積む際に、テコの原理で載せられるよう、伸縮性の引き手（グリップ）部に取り付け可能な、滑り止めバンドを提供するものである。          
【背景技術】
【０００２】
従来は、スーツケースやキャリーバックを車両のトランクに積むには、そのまま持ち上げるしかなかった。
【発明の開示】
【発明が解決しようとする課題】
【０００３】
重たいスーツケースやキャリーバックを車両のトランクまで持ち上げる力を軽減しようとするものである。
【課題を解決するための手段】
【０００４】
スーツケースやキャリーバックの引き手（グリップ）部に取り付けることで、引き手部を車両トランクの縁に引っ掛けることが出来る滑り止めバンドである。
【発明の効果】
【０００５】
スーツケースやキャリーバックの引き手部（グリップ）部に装着すれば、同引き手部を車両トランクの縁に引っ掛けることが可能となり、引っ掛けた状態でスーツケースやキャリーバックの底部を持ち上げれば、テコの原理により、従来よりも少ない力で車両のトランクまで持ち上げることが可能となる滑り止めバンドである。
【発明を実施するための最良の形態】
【０００６】
滑り止めバンドはゴム又はシリコン等の弾力性材を使用し、表面には凹凸や溝を掘ることで滑り止め効果を高める。
滑り止めバンドは、引き手（グリップ）部の左右に装着し、引き手を握る際に邪魔にならない大きさとする。
【図面の簡単な説明】
【０００７】
【図１】本発明である滑り止めバンドの図。
【図２】滑り止めバンドをスーツケースやキャリーバックの引き手（グリップ）部に装着した様子を示す図。
【図１】
2009136690.tif 000003
【図２】
2009136690.tif 000004
(57)【要約】      （修正有）【課題】どこでも簡単な動作で足首を屈伸させて下肢の循環低下を予防、緩和する携帯足首屈伸用具を提供する。【解決手段】足を支える足支持ベース２とその留めバンド１、その下部に軸芯を有し、回転自由に支持されるローラー３で構成されたローラー式屈伸用具Ａ。【選択図】図１
2009136651.tif 000002
【特許請求の範囲】
【請求項１】
何処へも持ち運びでき、椅子に掛け、足に履き、その前後動作により足首の屈伸を手軽に行うことができる小型、軽量、無動力のローラー式足首屈伸用具。
ローラー屈伸用具と組み合わせ、揺動作による足首屈伸ができるローラー支持台。
【請求項２】
何処へも持ち運びでき、椅子に掛け、足に履き、その揺動作により足首の屈伸を手軽に行うことができる小型、軽量、無動力の揺動式足首屈伸用具。
【発明の詳細な説明】
【技術分野】
【０００１】  本発明は手軽に持ち歩きでき、どこでも簡単な動作で足首を屈伸させて下肢の循環低下を予防、緩和する用具に関するものである。
【背景技術】
【０００２】  航空機、汽車旅行などで長時間同じ姿勢を続けると下肢の循環が低下して、いわゆるエコノミークラス症候群（深部静脈血栓症）や、足のむくみ症状を起こすことはことがよく知られている。
一方、足首は第２の心臓ともいわれ、これを屈伸させることでその循環が良くなることも分かっている。
機中、車中などで足首屈伸が簡単にできる用具があれば旅行中のこれらの症状の予防、緩和に役立つ。
【発明の開示】
【発明が解決しようとする課題】
【０００３】  足首の屈伸効果を目的とした機器類は従来からあり、家庭や施設などで使われているが、いずれも重く、かさばり、殆どが動力を必要とし、機中や車中に持ち込んで使えるものではない。
【課題を解決するための手段】
【０００４】Ａ）足部にローラー具を履き、ローラーを床上を前後に転動させて足首部を屈伸させる。
Ｂ）ローラー具をローラー支持台上に挟み、ローラーの芯回りに足先部を揺動させて足首部を屈伸させる。
Ｃ）揺動具を足に履き、揺動板を支点回りに揺動させて足首部をを屈伸させる。
本発明は、それぞれ何処でも使用でき、手軽に足首の屈伸効果が得られる小型、軽量、無動力の用具である。
【発明の効果】
【０００５】  本発明は長時間旅行時などに起きやすい下肢の循環の低下に伴う諸症状の予防、緩和に効果的な足首の屈伸動作を本発明の用具を用いることで何処でも手軽に行うことが出来、その効果を得ることができる。
【発明を実施するための最良の形態】
【０００６】Ａ）足を支える支持ベース部とその留めバンド、その下部に軸芯を有し、回転自由に支持されるローラーで構成されたローラー式屈伸用具。
Ｂ）ローラー式屈伸用具を挟んで、足先部を上下に揺動でき、揺動の戻し作用を有する戻しスプリングで構成されたローラー支持台。
それぞれＡ）は単独で、Ｂ）はＡ）と組合わせて使用する。
Ｃ）足を支える揺動板とその留めバンド、揺動の支点を有するベース、揺動の戻し作用を有する戻しスプリングで構成された揺動式屈伸用具
本発明は以上のそれぞれの構成によりなる。
本発明のそれぞれの作用および使用は以下による。
Ａ）椅子に掛けた状態でローラー式屈伸用具の足支持ベースを足に履き、バンドで留め、ローラーを床上で前後に転動させることによって足首部を屈伸させ屈伸効果を得る。
Ｂ）同じ状態でローラー式屈伸用具をローラー支持上台に挟み、ローラーの芯回りに足先部を上下に揺動させることによって足首を屈伸させ屈伸効果を得る。
Ｃ）同じ状態で揺動式屈伸用具の足支持揺動板を足に履き、バンドで留め、揺動板を支点回り足先部を上下に揺動させることによって足首を屈伸させ屈伸効果を得る。
前進後退動作、上下揺動作はそれぞれ左右「同時」でも「交互」でもよい。
【図面の簡単な説明】
【０００７】
【図１】  ローラー式屈伸用具の斜視図である。
【図２】  ローラー式屈伸用具を足に履き、バンドで留めて、ローラーを床上で前後に転動させたときの動作説明図である。
【図３】  ローラー支持台の斜視図である。
【図４】  ローラー式屈伸用具をローラー支持台上には嵌め、ローラーの芯回りに足先部を上下に揺動させたときの動作説明図である。
【図５】  揺動式屈伸用具の斜視図である。
【図６】  揺動式屈伸用具を足に履き、バンドで留めて、揺動板を支点回りに上下に揺動させたときの動作説明図である。
【符号の説明】
【０００８】Ａ）ローラ式屈伸用具、Ｂ）ローラー支持台、Ｃ）揺動式屈伸用具
１）留めバンド、２）足支持ベース、３）ローラー、４）戻しスプリング、５）足支持揺動板、６）ベース、７）後退時、足首・屈角度、８）前進時、足首伸・角度、９）前進、後退動作、１０）足上げ時、足首・屈角度、１１）足下げ時、足首・伸角度、１２）足先、上下揺動作
【図１】
2009136651.tif 000003
【図２】
2009136651.tif 000004
【図３】
2009136651.tif 000005
【図４】
2009136651.tif 000006
【図５】
2009136651.tif 000007
【図６】
2009136651.tif 000008
(57)【要約】【課題】従来の歯ブラシは、歯ブラシと歯みが粉が別々に分れて成り立っている機能構造が主流である。二つ揃って確保されていないと役立たない欠点があり、携帯や供用性などの点で不利である。二つ揃っていても歯ブラシに歯みがき粉を塗抹する作業は面倒で、また歯みがき粉が直接歯や口腔内に広がる違和感など、歯磨きを嫌悪し虫歯の原因ともなる。特に幼児、病人、老人にも適切でない機能構造のため、歯磨きの簡便化を図った着床による合体した簡単歯ブラシを構成する。【解決手段】歯ブラシと歯みがき粉を合体させ、歯ブラシに複数の着床孔や着床溝を設けて、歯みがき粉が着床する機能構造にして、歯みがき粉の塗抹作業の面倒や口腔内の違和感を改善して歯磨きの簡便化を図り、携帯や供用性が可能にして、環境負荷を軽減し高い性能を発揮するものである。【選択図】図２
2009136647.tif 000002
【特許請求の範囲】
【請求項１】
歯ブラシと歯みがき粉の二つの物体を合体させ、複数の着床孔や溝を設け、歯みがき粉の塗抹作業を改善し、歯ブラシへの着床の機能方法で、歯磨きの簡便さを高め、効果向上を支えることを特徴とする合体した着床の簡単歯ブラシ。
【発明の詳細な説明】
【技術分野】
【０００１】      本発明は、歯磨きの簡便さを図った着床の簡単歯ブラシに関する。
【背景技術】
【０００２】      従来の歯ブラシは、歯ブラシと歯みがき粉が、別々に分かれて成り立ち、面倒な歯みがき粉の塗抹作業を必要とする機能構造が主流である。
【発明の開示】
【発明が解決しようとする課題】
【０００３】      歯ブラシと歯みがき粉による歯磨きという方法は、歯ブラシと歯みがき粉の二つが揃って確保されていないと役立たない欠点がある。【０００４】      歯ブラシの部分に歯みがき粉を塗抹する方法は面倒である。【０００５】      更に歯みがき粉が直接歯や口腔内に接触する違和感が発生するなど、歯磨きを嫌悪する傾向となる【０００６】      歯みがき粉の歯ブラシへの塗抹作業は幼児、病人、老人には、歯磨き粉の落下や蓋の開閉の困難などが生じて取り扱いが難しい【０００７】      外出時など歯ブラシや歯みがき粉の一方が不足したり、塗抹作業は難しく、携帯性や供用性などの点で不利がある。
【課題を解決するための手段】
【０００８】      本発明は、上記目的を達成するために、歯ブラシと歯みがき粉を合体させ、着床孔や着床溝を設けて、歯ブラシへの着床で歯磨きの簡便さを図る簡単歯ブラシである。
【発明の効果】
【０００９】      本発明の着床による合体した簡単歯ブラシは、歯みがき粉の塗抹の面倒さ、口腔内への違和感を改善し、歯ブラシへの着床の機能方法により歯磨き作業を容易にする効果を提供できる。【０００１０】      本実施形態によれば、歯みがき粉部分の取替えや詰め替えにより携帯性や供用性が可能となり、環境負荷の軽減可能な機能を支える着床による合体した簡単歯ブラシとなる。
【発明を実施するための最良の形態】
【００１１】以下、本発明の実施の形態を図１〜図２に基ずいて説明する。【００１２】      歯ブラシ部分１に杷持し取り外し可能な歯みがき粉部３を装填し合体させる【００１３】  歯ブラシ部と歯みがき粉部を連結する接合部に、複数の着床孔５や着床溝６を設け、歯みがき粉を歯ブラシ部へと押送する。【００１４】      歯みがき部の取り替えや詰め替えも可能にし、携帯や供用性のある機能構造を提供できる。
【産業上の利用可能性】
【００１５】      上述したように本発明の簡単歯ブラシは、面倒な塗抹作業がなく、歯みがき粉に対して口腔内の違和感もなく、簡便な歯磨き作業と携帯性や供用性が可能となり、環境負荷の軽減可能な利便性の高い性能を発揮するものである。
【図面の簡単な説明】
【００１６】
【図１】  本発明の実施形態を示す簡単歯ブラシの平面の断面図
【図２】  同着床による簡単歯ブラシの左側面の断面図
【符号の説明】
【００１７】      １歯ブラシ部
２接合部
３歯みがき部
４カバー
５着床孔
６着床溝
７歯ブラシ植毛部
【図１】
2009136647.tif 000003
【図２】
2009136647.tif 000004
(57)【要約】      （修正有）【課題】紙おむつを着用時に、動いたり腰をまげても、紙おむつがずり下がらないように肌着と紙おむつをマジックテープでとめる、ずり下がらない紙おむつと肌着を提供する。【解決手段】紙おむつ１にマジックテープ雄５を取り付け、肌着４にマジックテープ雌６をとりつけ、両方をくっつけて紙おむつ１の下がるのを防ぐことを特徴とする。【選択図】図４
2009136645.tif 000002
【特許請求の範囲】
【請求項１】
紙おむつ（１）が、腰よりずり下がらないように、紙おむつ（１）にマジックテープ雄（５）を取り付け、肌着（４）にマジックテープ雌（６）を取り付ける、  以上の構成よりなる、ずり下がらないようにする紙おむつと肌着。
【発明の詳細な説明】
【発明の詳細な説明】
【技術分野】
【０００１】この発明は、病人、痴呆症など、障害者が使う紙おむつ（１）が使用時にずり下がらないようにした、ずり下がらないようにする紙おむつ（１）と肌着（４）に関するものである。
【背景技術】
【０００２】従来の紙おむつ（１）は伸縮ゴム（２）はついているが、紙のため、肌につくとすべりやすく腰を曲げたり伸ばしていると、どうしても着用した位置より下がってしまい、気がつかず用足しをしてしまうので、排泄口が紙おむつ（１）の正常な吸収体（７）の位置より上になってしまい肌着にも附着してしまうのが現状であった。
【発明が解決しようとする課題】
【０００３】  これには次のような欠点があった。
イ、人体は若いときには腰骨（８）や、尻（９）も出ているため、そこへ紙おむつ（１）の腰の部分がひっかかるのでずり下がらないが、歳をとったり、病気になるとだんだんと、からだの膨らみがなくなってしまう。
ロ、そのため、紙おむつ（１）を着用しても、止まるところがないため下がってしまい、１度失敗して他のところへ漏らすと、次からは、どうしても強く止めたくなってしまい、強く止めると
腹が苦しくなり使用している病人にはがまんが、できないことであった、
本発明はこれらの欠点を解決するために発明されたものである。
【発明が解決するための手段】
【０００４】紙おむつ（１）にマジックテープ雄側（５）をとりつけ、肌着（４）にマジックテープ雌側（６）をとりつける、肌着（４）は洗濯するためマジックテープの雌側（６）をつけることで、洗濯をするときに、雌側のマジックテープにごみの付着を最小限に防ぐことができる。
本発明は以上の構成よりなる、ずり下がらないようにする紙おむつと肌着である。
【発明を実施するための最良の形態】
【０００５】以下、本発明の実施の形態を説明する。
紙おむつ（１）にマジックテープ雄側（５）を伸縮ゴム（２）のあいだにとりつける、  病人、痴呆症、障害者に紙おむつ（１）を着用させて、マジックテープ雌側（６）つけた肌着（４）を着用させ紙おむつ（１）につけたマジックテープ雄（５）とあわせる。
本発明は以上の構成よりなっている。
本発明を使用するときは、紙おむつ（１）につけたマジックテープ雄側（５）にマジックテープ雌側（６）をつけた肌着を着せてマジックテープを  あわせて、着用する。そうすることによって、紙おむつ（１）が下がろうとするのをマジックテープによって、肌着（４）と一緒になっているため下がるのを防げる。
【発明の効果】
【０００６】本発明を使用することによって、病人、痴呆症、障害者に紙おむつ（１）を着用させて、腰をまげたり、動いたりしたときに、紙おむつが下がって、排便、小水の排泄時に紙おむつ（１）の吸収体（７）以外のところへの排泄を防げるものである。
【図面の簡単な説明】
【図１】  本発明の既設紙おむつの斜視図
【図２】  本発明の斜視図
【図３】  本発明の肌着
【図４】  本発明の組み合わせ図
【図５】  本発明の着用図
【図６】  本発明の曲げの状態図
【図７】  本発明の参考正面図
【図８】  本発明の参考側面図
【符号の説明】
１    紙おむつ                  １０    成人体
２    伸縮ゴム                  １１    老人体
３    足入れ口
４    肌着
５    マジックテープ雄
６    マジックテープ雌
７    吸収体
８    腰骨
９    尻
【図１】
2009136645.tif 000003
【図２】
2009136645.tif 000004
【図３】
2009136645.tif 000005
【図４】
2009136645.tif 000006
【図５】
2009136645.tif 000007
【図６】
2009136645.tif 000008
【図７】
2009136645.tif 000009
【図８】
2009136645.tif 000010
(57)【要約】      （修正有）【課題】正しいスイングを身に付けるための、練習用ゴルフクラブを提供する。【解決手段】正しいスイングとは、狙ったボールを正しく打てるスイングである。正しくボールが打てた時にはボールがクラブフェースのスイートスポットに当たる。その時に注目すべき点は、シャフトはボールの手前を通過している。つまりシャフトをその位置にスイングできればボールが打てる。そこでクラブヘッドのスイートスポット付近が欠落したクラブ６でスイングするとシャフトに集中できる。また、手元側のグリップの先端にウエイト７を装着することで、クラブヘッドの重心をコントロールする技術が身に付く。さらにこのウエイトによってシャフトの先端が軽くなり正しいスイングが身に付きやすい。【選択図】図２
2009136641.tif 000002
【特許請求の範囲】
【請求項１】
ゴルフクラブのクラブヘッドのスイートスポット付近が欠落しているゴルフ練習用クラブ。
【請求項２】
前記クラブヘッドのスイートスポット付近が欠落しているゴルフクラブのグリップ側の先端から、グリップの軸線に対し、交差する方向に軸線を有するウエイトを装着した請求項１に記載のゴルフ練習用クラブ。
【請求項３】
前記クラブヘッドのスイートスポット付近が欠落しているゴルフクラブのグリップ側の先端から、グリップの軸線に対し、交差する方向に軸線を有するウエイトが、前記クラブヘッドのスイートスポット付近が欠落しているゴルフクラブのグリップの軸線を中心に回転する方向に可動できる請求項１に記載のゴルフ練習用クラブ。
【発明の詳細な説明】
【技術分野】
【０００１】  本発明はゴルフ練習器具に関するものである。
【背景技術】
【０００２】
【特許文献１】  特開２０００−５３５８
【発明の開示】
【発明が解決しようとする課題】
【０００３】  ゴルフクラブは、シャフトの先端にクラブヘッドが取り付けられているが、その打点はシャフトの中心軸から偏っている。図１に示すようなゴルフクラブでボールをジャストミートすることは難しい。それは図１に示すように、クラブフヘッドがシャフトに対しオフセットしてついているため、打点がシャフトの延長線上に無いからということである。野球、テニス、卓球、バドミントンなどは、すべて打点が手元の延長軸線上にあるため比較的容易にボールなどを打つことができる。【０００４】  さらにクラブヘッドは重く、そのクラブヘッドの重心はシャフトの中心軸から偏っている。つまり、野球のバットのように単純な棒状の物と違うため、スムーズにスイングすることが難しい。そのために、正しいスイングがなかなか身に付かない。【０００５】  つまり、シャフトとクラブヘッドの打点とのズレを克服すること、及び重心がコントロールできれば比較的容易にボールをミートできる。【０００６】  すなわち本発明は、シャフトとクラブヘッドの打点とのズレを克服し、且つクラブヘッドの重心をコントロールする技術を習得できるゴルフ練習用クラブを提供することを目的とする。
【課題を解決するための手段】
【０００７】  正しいスイングとは、狙ったボールを正しく打てるスイングである。正しくボールが打てた時にはボールがクラブフェースのスイートスポットに当たる。その時に注目すべき点は、シャフトはボールの手前を通過している。つまりシャフトをその位置にスイングできればボールが打てる。クラブヘッドに注目せずにシャフトに注目してスイングするとスイングは簡単になる。【０００８】そこで、クラブヘッドのボールに当たるスイートスポット付近が欠落したゴルフ練習用クラブで練習すると、シャフトに集中しやすく、正しいスイングが身に付きやすい。【０００９】  また、クラブヘッドの重心もスイートスポット付近にあるため、シャフトの中心軸から偏っている。そのためにゴルフクラブはバランスが悪い。ゴルフのスイングがスムーズにいかない最大の原因である。【００１０】  この点においても、クラブヘッドのスイートスポット付近が欠落した前記ゴルフ練習用クラブで練習すると、スムーズにスイングできる。【００１１】  しかし、このままではただの棒状の物と変わりが無い。ゴルフはこのクラブヘッドの重心をいかにコントロールするかが上達のポイントであるので、棒状の物をスイングしても上達できない。【００１２】  そこで、クラブヘッドと似た形状とバランスを持つウエイトを、前記ゴルフ練習用クラブのグリップ側の先端に装着した。【００１３】  通常のクラブヘッドは手元からいちばん遠いシャフトの先端に位置する。この場合、コントロールする対象が手元から遠すぎるため、思うように重心をコントロールする技術が身に付かない。しかし、前記ゴルフ練習用クラブでは、手元に一番近いグリップ側の先端に前記ウエイトを装着しているため、クラブヘッドの重心をコントロールする技術を、簡単に身に付けられるようになる。【００１４】  さらには前記ウエイトによりシャフトの先端が軽くなり、これによってさらに正しいスイングが身に付きやすい。
【発明の効果】
【００１５】  クラブヘッドのボールに当たる部分が欠落した前記ゴルフ練習用クラブで練習すると、シャフトの通る位置に注目してスイングするだけなので、スイングがシンプルになる。つまり、従来のように手元の延長であるシャフトと、クラブヘッドの打点とのズレに意識を向ける必要が無いからである。【００１６】  また、クラブヘッドの重心がシャフトの中心軸から偏っていることの影響を受けないため、正しいスイングが身に付きやすい。【００１７】  そして、手元側のグリップの先端にあるウエイトの効果によって、正しいクラブヘッドの重心のコントロールが自然と身に付く。【００１８】  初心者がいきなりゴルフクラブで練習を始めると、打点がシャフトの延長軸線上にないことと、ヘッドの重さ、クラブヘッドの重心がシャフトの中心軸から偏っていることの影響を受け、上手くスイングができずボールに当たらない。【００１９】  しかし前記ゴルフ練習用クラブで練習すると、クラブヘッドの影響を受けることなく正しいスイングが身に付きやすい。前記ゴルフ練習用クラブで練習した後で通常のゴルフクラブでボールを打つと、簡単にボールをジャストミートできるようになる。【００２０】  アイアン、パター、ドライバーのすべてにおいて同じ効果がある。
【発明を実施するための最良の形態】
【００２１】  通常のゴルフクラブの、クラブヘッドのボールに当たる付近が欠落しており、手元側のグリップの先端にウエイトが装着されているゴルフ練習用クラブである。
【実施例】
【００２２】  図２は本発明の第１実施例を示す。図２に示すように、通常のゴルフクラブの、クラブヘッドのボールに当たる部分が欠落しており、且つ手元側のグリップの先端にウエイトが装着されている前記ゴルフ練習用クラブである。
【図面の簡単な説明】
【００２３】
【図１】ゴルフクラブとスイートスポット（打点）
【図２】ゴルフ練習用クラブ
【図３】スイートスポット付近が欠落したクラブヘッド
【符号の説明】
【００２４】１ゴルフクラブ
２クラブヘッド
３スイートスポット（打点）
４シャフト
５グリップ
６スイートスポット付近が欠落したクラブヘッド
７ウエイト
【図１】
2009136641.tif 000003
【図２】
2009136641.tif 000004
【図３】
2009136641.tif 000005
(57)【要約】      （修正有）【課題】トイレットペーパーなどを安定に吸着可能な便座カバーを提供する。【解決手段】便座カバー（シート）をシリコーンゴム等特定の樹脂製にする事で弱い静電気によりトイレットペーパーを吸着します。便座の上でトイレットペーパーがずれたりせず、簡単に便座からの感染を予防することができます。安価なトイレットペーパーを簡単に使用し、水に流すことができます。この薄い便座カバー（シート）は取り外して滅菌消毒に十分耐ることができます。また便座も汚染から守れます。便座と肌をしっかりと安価で、簡単に隔離することが可能です。【選択図】なし【特許請求の範囲】
【請求項１】
便座カバー（シート）の材料として静電気を帯びる性質の強い化学樹脂（シリコーンゴム、エラストマー樹脂、ポリウレタンゴム、塩化ビニール、セルロイド）その他の静電気を帯びる性質の化学樹脂を用いたカバー状、シート状の薄い便座カバー（シート）。其の中でもシリコーンゴム、エラストマー樹脂、ポリウレタンゴム、軟性塩化ビニールなどは軟性であり、他の樹脂よりは有利です。また抗菌剤を添加することもできます。この樹脂は静電気により便座とトイレットペーパー両方に吸着します。
【請求項２】
上記化学樹脂類は消毒などの化学薬品に変化がなく、繰り返し使用可能で人体に無害である。
【請求項３】
上記便座カバー（シート）は便座上面の形状に正確に適合している必要があります。便座を全面または側方から保持する場合と便座カバー（シート）が安定しているなら便座上面のみの形状に合ったシート状でも肌と便座が隔離できれば、特に問題はありません。
【発明の詳細な説明】
【技術分野】
【０００１】  本発明は、洋式トイレの便座に装着する便座カバー（シート）が静電気によりトイレットペーパーなどを吸着し、トイレットペーパーが安定することに係り、便座からの感染を予防することができる便座カバー（シート）に関する。
【背景技術】
【０００２】  以前より、便座シートを保持する方法としての主なものは次の３方式の発明がありました。便座シートを安定させるため便座シートの裏面に水溶性接着剤樹脂を貼り付ける方法（例えば、特許文献１参照）。便座に動物の毛、または化学繊維などでこすり便座に静電気を発生する装置がありました（例えば、特許文献２参照）。便座に吸気孔を設け吸気により便座シートを保持する方法があります（例えば、特許文献３参照）。この方法は弱い静電気を帯びる性質の化学樹脂の便座カバー（シート）とトイレットペーパーを利用しますので安価に、簡単に目的を達成できます。便座カバー（シート）の静電気のため便座にもしっかりと吸着します。
【特許文献１】特開平１１−１９００２７号公報
【特許文献２】特開２００３−２１０３５７号公報
【特許文献３】特開２００５−１７７２０４号公報
【発明の開示】
【発明が解決しようとする課題】
【０００３】  不特定多数の人が利用する洋式トイレのことです。例えば一日３０人が利用、一ヶ月で６００人一年で７０００人が利用しているトイレのことです。便座シートが置かれているところはまだ一部で、ある程度高級感のある施設のみで、ほとんどは便座シートは置かれていません。便座の汚さを気にする人はエタノール除菌スプレイ、または除菌布が備え付けて有るトイレを利用するか、またそれらを自分で持参して利用します。しかしその効果は細菌学的な見地から見れば、肝炎ウィルス、エイズウィルス、梅毒のスピロヘータ、皮膚病の真菌胞子類には１００％無効です。本当に心配している病気には無効です。確実な方法は便座に接触しないことです。つるつるした表面で少し内側に傾斜している便座にトイレットペーパーを置き用をたそうとすると、衣服が接触したり、動作のために起こる風が便座のトイレットペーパーの位置をずらします。そのため用をたすのは相当な努力が必要と思われます。また小さな子供や認知症の傾向がある方が正しいトイレの使用方法を誤ると直接糞尿が便座に付くことも有ると思われます。上述のように一年間に７０００人も利用いていることを思うと利用が躊躇されます。最低でも一日一回は新しい消毒済みの便座カバーに交換することは国民の未知なる感染症防止のため必要です。この発明の主な目的は、ほとんどのトイレでは便座シート置いてない場合が多く、このような時、少し厚めの便座シートよりも弱い静電気の作用が効きやすい薄いトイレットペーパーを利用できれば簡単に、安価に、安全にトイレを使用できます。また使用後は水に流せます。一番確実なのは便座に直接接触しないことです。またこの便座カバー（シート）はそれから便座も汚染から守ってくれます。次に短期間知人、家族で利用するホテル、旅館などでは、一日ごとにはずして消毒可能な新しい便座カバーを便座にそのつど交換すれば、ペーパーなしでも安心です。またそのとき透明な便座カバーであれば本日消毒済みのメモを便座カバー（シート）の下に置けばより安心できます。このような場合は無理にトイレットペーパーを置かず利用できます。便座カバー単独で家庭のトイレのように利用できます。また弱い静電気のためほこりが付いたり、肌に静電気ショックを与えません。この便座カバー（シート）に薄い軟性樹脂を使用すれ、この樹脂の静電気と摩擦係数の高さのため便座にも強く吸着し、特別なカバー保持装置を付けなくとも必要最小限の大きさにすることができます。また便座カバー（シート）は便座上面の形状に適合していて、必ずしも便座を全面または側方から保持する必要は有りません。もし安定しているなら便座上面のみ形状に合ったシート状でも肌と便座が隔離できれば、特に問題はありません。
【課題を解決するための手段】
【０００４】  洋式トイレの便座に装着するこの便座カバー（シート）が弱い静電気によりトイレットペーパーを吸着します。便座の上でトイレットペーパーがずれたりせず、簡単に便座からの感染を予防することができます。安価なトイレットペーパーを簡単に使用し、水に流すことができます。それからこの薄い便座カバー（シート）は取り外して滅菌消毒に十分耐ることができます。この薄い便座カバー（シート）は静電気を帯びる性質の化学樹脂（シリコーンゴム、エラストマー樹脂、ポリウレタンゴム、塩化ビニール、セルロイド）その他の静電気を帯びる性質の化学樹脂を用いたシート状の薄い便座カバー（シート）で作られます。其の中でもシリコーンゴム、エラストマー樹脂、ポリウレタンゴム、軟性塩化ビニールなどは軟性であり、摩擦係数が高く他の樹脂よりこの材料は有利です。
【発明の効果】
【０００５】  以上説明しました通り安価で、簡単で、既存の洋式トイレに利用できます。また既存の便座を長期間の使用のため生じる汚染からも守ってくれます。
【発明を実施するための最良の形態】
【０００６】  エタノール除菌の効果は細菌学的な見地から見れば、肝炎ウィルス、エイズウィルス、梅毒のスピロヘータ、皮膚病の真菌胞子類には１００％無効です。本当に心配している病気には無効です。確実な方法は便座に接触しないことです。このことが分かれば普及すると思われます。
(57)【要約】      （修正有）【課題】果実や生花など鮮度を必要とする生鮮物を保存・陳列する陳列ケースにおいて、冷却機の設置スペース不要、冷却効率向上、電源工事不要な冷却機付陳列ケースを提供する。【解決手段】果実や生花など鮮度を必要とする生鮮物を保存・陳列している陳列ケース内に、取り付け可能な室外機別置き型冷却機を取り付けることで、陳列ケース外の上部の冷却機を設置するスペースが不要となり、冷却機付陳列ケースはコンパクトな大きさとなった。また、室外機別置き型冷却機により、室外機を屋外に設置することができ、陳列ケース内を冷却する際に排出される熱気が、屋外に設置した室外機から排出されることで、この陳列ケース内の冷却効果は向上し、この冷却機は冷却能力を下げることが可能となった。また、電源増設工事費用も不要となった。【選択図】図１
2009136640.tif 000002
【特許請求の範囲】
【請求項１】
果実や生花など鮮度を必要とする生鮮物を保存・陳列している陳列ケース内の生鮮物を置くことのできないデッドスペースに、室外機別置き型冷却機を取り付け、断熱材をまいた冷媒配管を屋外に延ばし、その先に室外機を設置した単相１００Ｖの電源の冷却機付陳列ケース。
【発明の詳細な説明】
【技術分野】
【０００１】  本発明は、果実や生花など鮮度を必要とする生鮮物を保存・陳列する際に用いられる冷却機能付陳列ケースである。
【背景技術】
【０００２】  従来の冷却機能付陳列ケースは、室外機一体型冷却機を陳列ケース外の上部に取り付け、この冷却機から陳列ケース内を冷却する際に排出される熱気が、陳列ケースを外部から暖めることとなり、この冷却機はより大きな冷却能力を必要としていた。また、この冷却機は三相２００Ｖの電源を必要とするため、この電源を増設するための電気工事を必要としていた。
【発明の開示】
【発明が解決しようとする課題】
【０００３】  従来の冷却機能付陳列ケースは、室外機一体型冷却機を陳列ケース内に取り付けることができず、陳列ケース外の上部に取り付けるために、この冷却機を取り付けるためのスペースが必要であった。また、この冷却機から陳列ケース内を冷却する際に排出される熱気が、陳列ケースを外部から暖めることとなり、冷却機の冷却効率を悪くしていた。また、この冷却機は三相２００Ｖの電源を必要とし、単相１００Ｖの電源しか備わっていない場所では、三相２００Ｖ電源を増設するための電気工事が必要であった。
【課題を解決するための手段】
【０００４】  この課題を解決するための手段は次の通りである。
果実や生花など鮮度を必要とする生鮮物を保存・陳列している陳列ケース内に、生鮮物を置くことのできないデッドスペースがあり、冷却機を室外機別置き型冷却機にすることで、このデッドスペースにこの冷却機を取り付けることが可能となった。また、この冷却機は一般的なエアコンと同様に断熱材をまいた冷媒配管を屋外に延ばし、屋外に室外機を設置することで、陳列ケース内を冷却する際に排出される熱気がこの室外機から排出され、熱気を屋外へ排出することが可能となった。また、この冷却機は、単相１００Ｖの電源であるため、三相２００Ｖ電源増設の電気工事が不要となった。
【発明の効果】
【０００５】  本発明は、果実や生花など鮮度を必要とする生鮮物を保存・陳列している陳列ケース内に、取り付け可能な室外機別置き型冷却機を取り付けることで、陳列ケース外の上部の冷却機を設置するスペースが不要となり、冷却機付陳列ケースはコンパクトな大きさとなった。また、室外機別置き型冷却機により、室外機を屋外に設置することができ、陳列ケース内を冷却する際に排出される熱気が、屋外に設置した室外機から排出されることで、この陳列ケース内の冷却効果は向上し、この冷却機は冷却能力を下げることが可能となった。また、この冷却機は、単相１００Ｖの電源であるため、三相２００Ｖ電源増設の電気工事が不要となり、電源増設工事費用が不要となった。
【発明を実施するための最良の形態】
【０００６】  本発明は、果実や生花など鮮度を必要とする生鮮物を保存・陳列する際に用いられる冷却機能付陳列ケースとして実施する。【０００７】  図１に、本発明の冷却機付陳列ケース１を示しており、図２に、従来の冷却機付陳列ケース６を示す。図２には、室外機一体型の冷却機７を陳列ケース８外の上部に取り付けることで、陳列ケース８外の上部にこの冷却機７を取り付けるためのスペースが必要であるが、図１には、室外機別置き型冷却機３を陳列ケース２内の生鮮物を置くことのできないデッドスペースに取り付けることで、陳列ケース２外の上部に、この冷却機３を取り付けるスペースが必要ないことを示している。【０００８】  また、図１には、室外機別置き型冷却機３から冷媒配管４を屋外に延ばし、室外機５を屋外に設置し、陳列ケース２内を冷却する際に排出される熱気がこの室外機５から排出され、屋内に熱気がこもることがなく、陳列ケース２内の冷却効果は向上し、この冷却機３は冷却能力を下げることが可能であることを示している。【０００９】  図３に、本発明による冷却機付陳列ケース１をお花屋さんなどの店舗９に設置した場合の実施例を示している。
【図面の簡単な説明】
【００１０】
【図１】本発明による冷却機付陳列ケース。
【図２】従来の冷却機付陳列ケース。
【図３】本発明による冷却機付陳列ケースをお花屋さんに設置した実施例。
【符号の説明】
【００１１】  １：本発明の冷却機付陳列ケース
２：陳列ケース▲１▼
３：室外機別置き型冷却機
４：冷媒配管
５：室外機
６：従来の冷却機付陳列ケース
７：室外機一体型の冷却機
８：陳列ケース▲２▼
９：お花屋さんなどの店舗
【図１】
2009136640.tif 000003
【図２】
2009136640.tif 000004
【図３】
2009136640.tif 000005
(57)【要約】【課題】使用した歯ブラシから柄を伝って水が歯ブラシスタンドの底に溜まってしまっていた。それをもっと通気性を良くし衛生的にする。また電動歯ブラシのヘッド部分や歯間用ジェット水流のノズルなど短い物の置き場所のある歯ブラシスタンドを提供する。【解決手段】表側に大きいポケット、裏側に小さいポケットの付いた布製の歯ブラシスタンドをクリップのようなもので吊り下げて通気性を良くし、大きいポケットには一般の歯ブラシを入れ、小さいポケットには電動歯ブラシのヘッド部分や歯間用ジェット水流のノズルを入れることができるという道具です。【選択図】図１
2009136635.tif 000002
【特許請求の範囲】
【請求項１】
表側に大きいポケット、裏側に小さいポケットの付いた布製の歯ブラシスタンドをクリップのようなもので吊り下げて通気性を良くし、大きいポケットには一般の歯ブラシを入れ、小さいポケットには電動歯ブラシのヘッド部分や歯間用ジェット水流のノズルを入れることができるという道具です。
【発明の詳細な説明】
【技術分野】
【０００１】本発明は歯ブラシや電動歯ブラシのヘッド部分、歯間用ジェット水流のノズル部分など一人分を布製ポケット型の歯ブラシスタンドに挿して保管できるようにした物です。この歯ブラシスタンドは通気性に優れ、洗濯機で手軽に洗えるのでカビなどが着くこともなく、また一人分ずつ保管するので家族全員の歯ブラシを一つの歯ブラシスタンドを使用のとは違い水を通して風邪などなどが感染することもなくなるというものです。
【背景技術】
【０００２】従来はプラスチックや陶器で出来たコップ型などの歯ブラシスタンドしかなかった。この場合だと使用した歯ブラシから柄を伝って水がコップの底に溜まってしまいました。
【発明の開示】
【発明が解決しようとする課題】
【０００３】歯ブラシをプラスチックや陶器などの歯ブラシスタンドに立てて置くと歯ブラシに付いていた水が歯ブラシを伝って底に水が溜まって衛生的にもよくない。また電動歯ブラシのへッド部分や歯間用ジェット水流のノズル部分を置く場所に困っていました。本発明はこのようなことを解決するためになされたものです。
【課題を解決するための手段】
【０００４】キルティングなどの厚めの布で表側と裏側に大小のポケットを設け、大きい方には一般的な歯ブラシを挿し、小さい方のポケットには電動歯ブラシのヘッドや歯間用ジェット水流のノズル部分のように短いものを挿します。そしてこの布の歯ブラシスタンドをクリップのようなもので吊り下げて使用します。一人分ずつ分けて保管します。
【発明の効果】
【０００５】・歯ブラシスタンドが布でできており、クリップのようなもので吊り下げてあるので通気性が良く歯ブラシを衛生的に保管することができる。
・一般の歯ブラシ、電動歯ブラシのヘッド部分、歯間用ジェット水流のノズルなど一人分を一つの布製ポケット型の宙ブラシスタンドに置くことができるので短い物の置き場所に困ることがありません。
・歯ブラシスタンドが布でできているのでプラスチックや陶器の歯ブラシスタンドのように底に水が溜まることがなく衛生的である。
・歯ブラシスタンドが布でできているので、洗濯機で手軽に洗うことができます。
【実施例】
【０００６】以下、本発明の実施の形態を説明する。
（イ）厚めの布で表側にポケット大（２）、裏側にはポケット小（３）がついたポケット付歯ブラシスタンド（１）を作る。
（ロ）ポケット付歯ブラシスタンドを吊り下げるために歯ブラシスタンド土台（６）に取り付け穴（７）を開け、ひもが付いたクリップ（４）を取り付ける。
（ハ）ポケット付歯ブラシスタンド（１）がクリップ（４）でしっかり留まるように上部の折り曲げ線（９）のところで折り曲げてからはさむ。
本発明を使用するときは、歯ブラシスタンドの土台（６）部分を壁や洗面台に取り付け用フック（８）や吸盤などで取り付ける。
表側のポケット大（２）には一般的な歯ブラシを入れ、裏側のポケット小（３）には電動歯ブラシのヘッド部分や歯間用ジェット水流のノズルなどを入れる。
【図面の簡単な説明】
【０００７】
【図１】本発明の斜視図である。
【図２】本発明の分解斜視図である。
【図３】本発明の布部分の表側正面図である。
【図４】本発明の布部分に裏側正面図である。
【図５】本発明の布部分の断面図である。
【図６】本発明の使用状態を示す斜視図である。
【符号の説明】
【０００８】１    ポケット付歯ブラシスタンド
２    ポケット大
３    ポケット小
４    クリップ
５    フック
６    歯ブラシスタンド土台
７    取り付け穴
８    取り付け用フック
９    折り曲げ線
１０  一般的な歯ブラシ
１１  電動歯ブラシのヘッド
１２  歯間用ジェット水流のノズル
【図１】
2009136635.tif 000003
【図２】
2009136635.tif 000004
【図３】
2009136635.tif 000005
【図４】
2009136635.tif 000006
【図５】
2009136635.tif 000007
【図６】
2009136635.tif 000008
(57)【要約】      （修正有）【課題】テレビ電話を利用して、遠隔の2地点間を接続する窓のような装置システムを提供する。【解決手段】２つの対になる音声及び映像表示画面装置を別々の場所に設置し、両者を常時高速インターネット回線に接続することで、音声・映像を双方向にリアルタイムで交換する。対になった２点間を結ぶことに特化することで、一方の電源が切られたり、壊れたりした場合には、もう一方の画面には異常を知らせるメッセージ等を表示するようにする。この対になった装置を複数台世界中に設置することによりこのシステムの有用性を高める。家庭にある液晶や有機エレクトロ・ルミネセンスやプラズマテレビと似た形状とする事もできるし、窓や鏡のように自由な形状を構成することも考えられる。【選択図】図１
2009177759.tif 000002
【特許請求の範囲】
【請求項１】
２つの対になる音声及び映像表示画面装置を別々の場所に設置し、両者を常時インターネット回線に接続することで、音声・映像を双方向にリアルタイムで交換しあうことができる、別々の空間を接続する窓のような役割を持つ装置システム。
【発明の詳細な説明】
【技術分野】
【０００１】  本発明は、テレビ電話やテレビ会議システムに関する。
【背景技術】
【０００２】  従来のテレビ電話やテレビ会議システムには、映像・音声装置を具備し、複数の場所で映像を見ながら会話をすることを目的とする方式がある（例えば、特許文献１参照。）。
【特許文献１】特許公開２００７−２０２０２テレビ電話装置
【発明の開示】
【発明が解決しようとする課題】
【０００３】  以上に述べた従来のテレビ電話装置では、必要時に相手に電話をかけるという、従来の電話の延長線上にある発想の装置である。リアルタイムに空間を常時接続する役割を与えるには別な発想が必要である。【０００４】  本発明は、このような従来の構成が有していた問題を解決しようとするものであり、リアルタイムに離れた２点間を音声・映像でつなぐ空間を接続する窓のような役割を持たせることを目的とするものである。
【課題を解決するための手段】
【０００５】  そして、本発明は上記目的を達成するために、２つの対になる音声及び映像表示画面装置を別々の場所に設置し、両者を常時高速インターネット回線に接続することで、音声・映像を双方向にリアルタイムで交換しあうことに特化した空間接続窓装置システムである。【０００６】  上記の課題解決手段による作用は次の通りである。音声を入出力し、映像も入出力する装置を２つ対になるように用意する。【０００７】  その装置は常時高速インターネット回線に接続され、音声及び映像データはリアルタイムにネットワークを通して装置間でやり取りされる。【０００８】  対になった２点間を結ぶことに特化することで、一方の電源が切られたり、壊れたりした場合には、もう一方の画面には異常を知らせるメッセージ等を表示するようにする。【０００９】  この対になった装置を複数台世界中に設置することが、このシステムの有用性を高める。【００１０】  家庭にある液晶や有機エレクトロ・ルミネセンスやプラズマテレビと似た形状とする事もできるし、窓や鏡のように自由な形状を構成することも考えられる。
【発明の効果】
【００１１】  上述したように本発明の空間接続窓装置システムは、常時接続のため、あたかも装置を通して窓のように別の空間とつながっている感覚を人に与えることが出来る。【００１２】  また、装置を構成する各部品は現在の汎用品を組み合わせて製造可能であり、低価格で広く世界に提供でき、世界中で特定の２点間を接続する新しい方法である。【００１３】  ニュース等で海外の情報を伝えたりすることは従来のメディアで行われていたが、この装置を各国の公園等に複数設置することで、より身近に世界をリアルタイムに感じることが出来るようになる。世界の問題を自分の問題として捉えることにより、よりよい世界を構築するきっかけにすることが出来る。【００１４】  さらに身近な例でたとえれば、核家族化が進む現代において年を取った親と子のコミュニケーションが重要になるが、リビング等にこの装置を設置することで、すぐ近くに家が繋がったのと同等の感覚を得ることが出来る。また常時表示の空間接続窓という位置づけのため、お互い監視されているという感覚にはならずに済む。
【発明を実施するための最良の形態】
【００１５】  以下、本発明の実施の形態を図１に基づいて説明する。【００１６】  図１においては、対となっている２つの音声・映像装置が設置されている様子をしめす。【００１７】  家と家に設置しても良いし、世界の公園等に設置しても良い。世界中がリアルタイムでつながることで、だれでも身近に世界を感じることができるようになる。【００１８】  装置は対になっていることが本発明の大きな特徴の一つであり、現存するテレビのようにチャンネルを切り替える機能はわざと具備しない。
【実施例】
【００１９】  図２に実施例をしめす。ある場所とある場所を音声・映像で常時接続することで空間が接続されたのと似たことができる。
【産業上の利用可能性】
【００２０】  家屋間の常時空間接続窓として使えるほか、公共の場所に設置して遠く離れた場所との新しいコミュニケーションを生み出すことが出来るシステムである。
【図面の簡単な説明】
【００２１】
【図１】本発明の実施形態を示す構成例
【図２】実施例の外観図
【符号の説明】
【００２２】  １    映像出力画面
２    映像入力動画カメラ
３    音声出力スピーカー
４    音声入力マイクロフォン
５    インターネット接続用ケーブル
６    公衆高速インターネット網
７    電源コンセント
８    空間接続窓装置
９    地球
１０  人間（話者）
【図１】
2009177759.tif 000003
【図２】
2009177759.tif 000004
(57)【要約】【課題】従来の携帯電話は英文の入力が困難で、英文メールが容易に出来ませんでした。【解決手段】この問題を解決するため、ディスプレイ上のアルファベットキーボードを利用して１０（テン）キーによるアルファベット入力を行う方法で容易に英文の入力を行えるようにしました。【選択図】図１
2009177757.tif 000002
【特許請求の範囲】
【請求項１】
携帯電話のディスプレイ上のアルファベットキーボードを利用して１０（テン）キーによるアルファベット入力を行う方法
【発明の詳細な説明】
【技術分野】
【０００１】この発明は、携帯電話等の１０（テン）キーによる文字入力に関する。
【背景技術】
【０００２】従来の携帯電話は英文の入力が困難で、英文メールが容易に出来ませんでした。
【発明の開示】
【発明が解決しようとする課題】
【０００３】本発明は、携帯電話を使用して英文メールを容易に行えるようにすることを目的とするものである。
【課題を解決するための手段】
【０００４】そして、本発明は上記目的を達成するために携帯電話のディスプレイ上のアルファベットキーボードを利用して１０（テン）キーによるアルファベット入力を行う方法を開発する。
【発明の効果】
【０００５】携帯電話で容易に英文メールが出来るようすることで携帯電話の利便性向上を図る。
【発明を実施するための最良の形態】
【０００６】以下、本発明の実施の形態を説明する。【０００７】ディスプレイ上に縦３×横９＝２７キーのアルファベットキーボードを作成表示します。アルファベットは自由にアサイン出来ますがここではパソコンのキーアレンジに準じました。
キーボードを３ブロック（左ブロック、中ブロック、右ブロック）に分けて、１ブロック（縦３×横３）のキーアレンジが１０（テン）キーのキーアレンジとします。【０００８】スタートは中ブロックとし、切替キー（ここでは＊キーと＃キーを使用）で左ブロック、右ブロックに切替えて使用します。また、一文字入力すると中ブロックに戻るようにします。
キーボード全体をディスプレイすることにより視覚的な文字位置の確認と、常に中ブロックからスタートすることによりブロック切替の判断が容易になります。【０００９】１０（テン）キーに入力文字の表示がなくても、ディスプレイの補助で充分に文字入力が可能です。このことはキートップの文字表示の煩雑化を防ぎます。【００１０】勿論、このアルファベット入力方法によるローマ字入力も可能です。
【図面の簡単な説明】
【図１】ディスプレイ上のアルファベットキーボードと１０（テン）キーのキーアレンジ
【図１】
2009177757.tif 000003
(57)【要約】      （修正有）【課題】音センサーを利用し、携帯電話位置を即座に知らせる携帯発見器を提供する。【解決手段】携帯本体又は、携帯ストラップに音感知センサを設け、音感知センサが外部音約１００デシベル以上で感知するように設定する。約１００デシベル以上の音を感知したら、携帯忘失者に知らせる音を出す。【選択図】図１
2009177758.tif 000002
【特許請求の範囲】
【請求項１】
携帯本体又は、携帯ストラップに受信用音センサーを設ける。
【請求項２】
請求項１の受信用音センサーが外部音約１００デシベル以上で感知するよう設定する。
【請求項３】
請求項２の約１００デシベル以上での感知設定が無理な場合、受信音量を好みにより調整できるスイッチを設ける。
【請求項４】
請求項１のセンサーが約１００デシベル以上で感知したら「ピピ！」（音色は限定しない。）と音を出し、携帯忘失者に知らせるように音を設ける。
【発明の詳細な説明】
【技術分野】
【０００１】  本発明は、音センサーを利用し、忘失した携帯電話位置を即座に知らせる発案品である。
【背景技術】
【０００２】  携帯電話が身近にありながら探せないことは誰もが経験することである。そんな時、たまたま側にいる家族や友人に自分の携帯に電話して所在を知ることが多い。しかし、誰もいないときは、服のポケットやかばんの中を何度も調べたり、車にないかと見に行ったりして、忘失した自分に腹を立てている状況にあった。
【発明の開示】
【発明が解決しようとする課題】
【０００３】  今日では、携帯電話は無くてはならない必需品であるが、コンパクトで軽量の携帯電話は、ともすれば紛失や忘失することが多い。特に、身近にありながら探せない苛立ちは何とも言い難いものである。携帯電話に口があれば、「ここだよ！」と教えてくれるのに、と思ったことがある。そこで、考案したのが、この「音感知機能付き（携帯発見器）」である。
【課題を解決するための手段】
【０００４】  携帯電話又は携帯ストラップに音感知センサーを設ける。その際、普通会話の５０〜６０デシベルまたは、ピアノの音の８０デシベル程度の音では無く、電車の音の１００デシベル以上の音に反応するように設定する。それに対する発生音は、高い音が要求されるが、両手で「パーン」とたたく音や舌打ちの「ターン」で十分であり、もし音を出せなくても家の中や車の中に一人でいるため、ためらわず大声や物をたたいて音を出すことは容易である。その音や大声で音感知センサーが感知すると「ピピ！」と反応し、携帯忘失者に知らせる仕組みである。その点を考慮した本製品は、携帯電話の強い味方と言える。尚、１００デシベル以上に設定する他に、音感知センサーの受信音量を好みにより調整する方法も一考である。
【発明の効果】
【０００５】  本発明の音感知センサーを設けることにより、イライラしながら探し回ることや、知人等に自分の無様なところを露見させることもなく、携帯電話を発見できる。その結果、精神的安定となり、会社、家庭及び友人などに良好な効果をもたらす。
【発明を実施するための最良の形態】
【０００６】  以下、本発明の実施の形態を説明する。
（ア）特許請求範囲の主とする（１）音感知センサー（携帯用）を設ける。
（イ）特許請求範囲の主とする（２）音感知センサー（ストラップ用）を設ける。
（ウ）（３）受信音を設ける。
（エ）（４）発声音（想定）を入れる。
【図面の簡単な説明】
【０００７】
【図１】本発明使用時の正面全容図  （想定）
【符号の説明】
【０００８】  （１）携帯用音感知センサー（特許請求範囲の主）、（２）ストラップ用音感知センサー（特許請求範囲の主）、（３）受信音、（４）発声音（想定）
【図１】
2009177758.tif 000003